(57)【要約】【課題】生産者の識別番号の入力を容易にし、かつ、誤入力を防止することができる産地直売所用ラベル発行機を提供する。【解決手段】産地直売所用ラベル発行機は、生産者がかざす個人認証用無線通信機能を有するチップを搭載した無線通信器との間で無線通信して、その無線通信器に記録されている個人認証用情報を読み取るリーダー部と、リーダー部が読み取った個人認証用情報が記憶部に記憶されていないときはその読み取った個人認証用情報に、その後に入力される生産者名および識別コードを関連付けて記憶する記憶部と、リーダー部が読み取った個人認証用情報が記憶部に記憶されているときは、その個人認証用情報に関連付けて記憶部に記憶されている少なくとも識別コードおよびその後に入力される商品名と価格を印刷したラベルを発行する印刷部とを有する。【選択図】  図１
2013210914.tif 000002
【特許請求の範囲】
【請求項１】
商品を委託販売する生産者が少なくとも生産者名と陳列する商品名を入力して、その商品に貼付するその生産者の少なくとも生産者名と商品名がレジのリーダー部により読み取り可能なコードで印刷されたラベルを発行する産地直売所用ラベル発行機において、生産者がかざす個人認証用無線通信機能を有するチップを搭載した無線通信器との間で無線通信して、その無線通信器に記録されている個人認証用情報を読み取るリーダー部と、リーダー部が読み取った個人認証用情報が記憶部に記憶されていないときはその読み取った個人認証用情報に、その後に入力される生産者名および識別コードを関連付けて記憶する記憶部と、リーダー部が読み取った個人認証用情報が記憶部に記憶されているときは、その個人認証用情報に関連付けて記憶部に記憶されている少なくとも識別コードおよびその後に入力される商品名と価格を印刷したラベルを発行する印刷部とを有することを特徴とする産地直売所用ラベル発行機。
【請求項２】
商品を委託販売する生産者が少なくとも生産者名と陳列する商品名を入力して、その商品に貼付するその生産者の少なくとも生産者名と商品名がレジのリーダー部により読み取り可能なコードで印刷されたラベルを発行する産地直売所用ラベル発行機において、生産者がかざす個人認証用無線通信機能を有するチップを搭載した無線通信器との間で無線通信して、その無線通信器に記録されている個人認証用情報を読み取るリーダー部と、委託販売をする生産者の個人認証用情報とその個人認証用情報に対応する識別コード、生産者名および陳列される商品の商品名を記憶する記憶部と、少なくとも生産者名および商品名を表示する表示部と、識別コード、表示部に表示された商品名のうちラベル発行の対象として選択された商品名、選択された商品の価格、ラベルの発行枚数およびラベル発行指令を入力する入力部と、記憶部から呼び出された識別コード、表示部に表示された生産者名および商品名並びに入力部から入力された価格をラベルに印字して発行する印刷部と、リーダー部が読み取った個人認証用情報が記憶部に記憶されているものと一致するか否かを判断し、一致しないときは生産者登録モードを実行して、リーダー部が読み取った個人認証用情報を記憶部に登録するとともに、入力部から入力される識別コード、生産者名および商品名を登録した個人認証用情報に関連付けて記憶部に登録し、リーダー部が読み取った個人認証用情報が記憶部に記憶されているものと一致したときはラベル発行モードを実行して、その個人認証用情報に関連付けて記憶部に記憶されている識別コード、生産者名および商品名のうち、生産者名および商品名を表示部に表示させるとともに、表示された商品名のうち入力部により選択された商品名および入力部から入力される価格並びに識別コードを、入力部からのラベル発行指令の入力に基づき印字部に指定された発行枚数のラベルに印字し発行させる制御部とを有することを特徴とする産地直売所用ラベル発行機。
【請求項３】
商品を委託販売する生産者が少なくとも自己の識別番号と陳列する商品の種類を入力して、その商品に貼付するその生産者の少なくとも識別番号と商品種類がレジのリーダーにより読み取り可能なコードで印刷されたラベルを発行する産地直売所用ラベル発行機において、生産者がかざす個人認証用無線通信機能を有するチップを搭載した無線通信器との間で無線通信して、その無線通信器に記録されている個人認証用情報を読取るリーダー部と、委託販売をする生産者の個人認証用情報とその個人認証用情報に対応する識別コード、生産者名および陳列される商品の商品名を記憶する記憶部と、少なくとも生産者名および商品名を表示する表示部と、生産者登録モードとラベル発行モードのいずれかを指定するモード指定部と、表示部に表示された商品名のうちラベル発行の対象とする商品名の選択、選択された商品の価格、ラベルの発行枚数およびラベル発行指令を入力する入力部と、記憶部から呼び出された識別コード、表示部に表示された生産者名および商品名、並びに入力部から入力された価格をラベルに印字して発行する印字部と、生産者登録モードを指定されたときは、リーダー部が読み取った個人認証用情報が記憶部に記憶されているものと一致するか否かを判断し、一致しない場合はリーダー部が読み取った個人認証用情報を記憶部に登録するとともに、入力部から入力される識別コード、生産者名および商品名を登録した個人認証用情報に関連付けて記憶部に登録し、ラベル発行モードを指定されたときは、リーダー部が読み取った個人認証用情報が記憶部に記憶されているものと一致するか否かを判断し、一致した場合または生産者登録モードからラベル発行モードに変更された場合は、読み取った個人認証用情報に関連付けて記憶部に記憶されている識別コード、生産者名および商品名のうち、生産者名および商品名を表示部に表示させるとともに、表示された商品名のうち入力部により選択された商品名および入力部から入力される価格並びに識別コードを入力部からのラベル発行指令の入力に基づき印字部に指定された発行枚数のラベルに印字して発行させる制御部とを有することを特徴とする産地直売所用ラベル発行機。
【請求項４】
個人認証用無線通信機能を有するチップを搭載した無線通信器は、ＦｅｌｉＣａ（登録商標）チップを搭載した携帯電話機またはＳｕｉｃａ（登録商標）であることを特徴とする請求項１,２または３記載の産地直売所用ラベル発行機。
【請求項５】
表示部は、入力部から入力された商品価格およびラベル発行枚数をも表示するものであることを特徴とする請求項１，２，３または４記載の産地直売所用ラベル発行機。
【請求項６】
表示部は、モード指定部においてモードが指定されたときに、その指定されたモードをも表示するものであることを特徴とする請求項１，２，３，４または５記載の産地直売所用ラベル発行機。
【発明の詳細な説明】
【技術分野】
【０００１】
本発明は、産地直売所用ラベル発行機、さらに詳しくは、生産者が産地直売所で委託販売する商品に貼付するラベルを発行するために用いるものに関する。
【背景技術】
【０００２】
産地直売所は、生産者が持ち込む商品(生産物)を委託販売する方式で運営されていて、売上金をそれぞれの生産者に支払う精算業務が行われるが、その精算のために誰の商品がどれだけ売れたかを知る必要がある。
【０００３】
このため、従来、各生産者に固有の番号(識別番号)が割り当てられ、生産者は商品を産地直売所に陳列する際は、ラベル発行機で少なくとも自己の識別番号と陳列する商品の種類（商品名)と価格を販売員が扱うキャッシュ・レジスタ（以下、レジという。）に接続されたスキャナーなどのリーダー部で読取可能なバーコード等の識別コードをラベル (値札)に印字して発行させ、そのラベルを商品に貼付している。そして、顧客が買いたい商品をレジに持って来たときその商品に貼付されているラベルをリーダー部で読み取ることで、売れた商品の生産者名と商品名と価格のデータが販売管理装置に収集されるようになっている。
【０００４】
ラベル発行機でラベルを発行させるには、生産者がラベル発行機を操作して、生産者識別情報を呼び出す必要がある。この呼び出しは上記識別番号を入力して行われるが、従来行われている識別番号の入力方法には、次の４方法がある。
（ア）識別番号をラベル発行機でのキー操作により直接入力する方法。
（イ）ラベル発行機の表示画面に識別番号の一覧を表示させ、その一覧の中から該当するものを選択する方法。
（ウ）識別番号をバーコード化し、委託販売契約を締結している全生産者のバーコードを台帳にまとめ、ラベル発行機の傍に備え置く。
（エ）独自の会員証を作成して各生産者に配布し、その会員証を用いて呼び出しを行う。
（先行技術文献は特にない。）
【発明の概要】
【発明が解決しようとする課題】
【０００５】
上記ラベル発行機での生産者の識別番号の入力方法には、次のような問題がある。
(ａ)上記(ア)および(イ)の方法の場合は、操作に慣れて来ると、誤入力のチェックを怠り、これに気付かず、他人の識別番号でラベルを発行してしまう虞がある。
(ｂ)上記(ウ)の方法の場合は、台帳の多くの生産者の識別番号の中から自分のバーコードを探すのに非常に手間・暇がかかる。
(ｃ)上記（エ)の方法の場合は、会員証の作成に手間がかかり、作成に必要な費用負担が発生する。
【０００６】
通常、商品に貼付されるラベルに印字されるバーコードでは、生産者の識別番号のほかに商品の種類および価格が表され、また、ラベルには生産者の電話番号、住所等の生産者情報、商品の種類、生産地の環境、消費期限、価格等の商品情報が印字される。識別番号と生産者情報は固定情報であるが、商品情報は生産者ごとに異なる可変情報である。しかし、従来のラベル発行機では、とくに可変情報をラベル発行の都度に入力する必要があるため、生産者には手間と時間がかかり、ラベル発行業務が煩瑣であった。
【０００７】
本発明は、上記従来の生産者の識別番号の入力方法による問題を解消すること、すなわち、生産者の識別番号の入力を容易にし、かつ、誤入力を防止することができる産地直売所用ラベル発行機を提供することを第１の目的とする。また、ラベルに対する生産者ごとに異なる可変情報の印字も容易にできる産地直売所用ラベル発行機を提供することを第２の目的とする。
【課題を解決するための手段】
【０００８】
本発明は、上記第１の目的を達成するため、商品を委託販売する生産者が少なくとも生産者名と陳列する商品名を入力して、その商品に貼付するその生産者の少なくとも生産者名と商品名がレジのリーダー部により読み取り可能なコードで印刷されたラベルを発行する産地直売所用ラベル発行機において、その産地直売所用ラベル発行機は、生産者がかざす個人認証用無線通信機能を有するチップを搭載した無線通信器との間で無線通信して、その無線通信器に記録されている個人認証用情報を読み取るリーダー部と、リーダー部が読み取った個人認証用情報が記憶部に記憶されていないときはその読み取った個人認証用情報に、その後に入力される生産者名および識別コードを関連付けて記憶する記憶部と、リーダー部が読み取った個人認証用情報が記憶部に記憶されているときは、その個人認証用情報に関連付けて記憶部に記憶されている少なくとも識別コードおよびその後に入力される商品名と価格を印刷したラベルを発行する印刷部とを有することを特徴とする。
【０００９】
本発明は、上記第２の目的を達成するため、商品を委託販売する生産者が少なくとも生産者名と陳列する商品名を入力して、その商品に貼付するその生産者の少なくとも生産者名と商品名がレジのリーダー部により読み取り可能なコードで印刷されたラベルを発行する産地直売所用ラベル発行機において、その産地直売所用ラベル発行機は、生産者がかざす個人認証用無線通信機能を有するチップを搭載した無線通信器との間で無線通信して、その無線通信器に記録されている個人認証用情報を読み取るリーダー部と、委託販売をする生産者の個人認証用情報とその個人認証用情報に対応する識別コード、生産者名および陳列される商品の商品名を記憶する記憶部と、少なくとも生産者名および商品名を表示する表示部と、識別コード、表示部に表示された商品名のうちラベル発行の対象として選択された商品名、選択された商品の価格、ラベルの発行枚数およびラベル発行指令を入力する入力部と、記憶部から呼び出された識別コード、表示部に表示された生産者名および商品名並びに入力部から入力された価格をラベルに印字して発行する印刷部と、リーダー部が読み取った個人認証用情報が記憶部に記憶されているものと一致するか否かを判断し、一致しないときは生産者登録モードを実行して、リーダー部が読み取った個人認証用情報を記憶部に登録するとともに、入力部から入力される識別コード、生産者名および商品名を登録した個人認証用情報に関連付けて記憶部に登録し、リーダー部が読み取った個人認証用情報が記憶部に記憶されているものと一致したときはラベル発行モードを実行して、その個人認証用情報に関連付けて記憶部に記憶されている識別コード、生産者名および商品名のうち、生産者名および商品名を表示部に表示させるとともに、表示された商品名のうち入力部により選択された商品名および入力部から入力される価格並びに識別コードを、入力部からのラベル発行指令の入力に基づき印字部に指定された発行枚数のラベルに印字し発行させる制御部とを有することを特徴とする。
【００１０】
また、本発明は、上記第２の目的を達成するため、商品を委託販売する生産者が少なくとも生産者名と陳列する商品名を入力して、その商品に貼付するその生産者の少なくとも生産者名と商品名がレジのリーダーにより読み取り可能なコードで印刷されたラベルを発行する産地直売所用ラベル発行機において、その産地直売所用ラベル発行機は、生産者がかざす個人認証用無線通信機能を有するチップを搭載した無線通信器との間で無線通信して、その無線通信器に記録されている個人認証用情報を読取るリーダー部と、委託販売をする生産者の個人認証用情報とその個人認証用情報に対応する識別コード、生産者名および陳列される商品の商品名を記憶する記憶部と、少なくとも生産者名および商品名を表示する表示部と、生産者登録モードとラベル発行モードのいずれかを指定するモード指定部と、表示部に表示された商品名のうちラベル発行の対象とする商品名の選択、選択された商品の価格、ラベルの発行枚数およびラベル発行指令を入力する入力部と、記憶部から呼び出された識別コード、表示部に表示された生産者名および商品名、並びに入力部から入力された価格をラベルに印字して発行する印字部と、生産者登録モードを指定されたときは、リーダー部が読み取った個人認証用情報が記憶部に記憶されているものと一致するか否かを判断し、一致しない場合はリーダー部が読み取った個人認証用情報を記憶部に登録するとともに、入力部から入力される識別コード、生産者名および商品名を登録した個人認証用情報に関連付けて記憶部に登録し、ラベル発行モードを指定されたときは、リーダー部が読み取った個人認証用情報が記憶部に記憶されているものと一致するか否かを判断し、一致した場合または生産者登録モードからラベル発行モードに変更された場合は、読み取った個人認証用情報に関連付けて記憶部に記憶されている識別コード、生産者名および商品名のうち、生産者名および商品名を表示部に表示させるとともに、表示された商品名のうち入力部により選択された商品名および入力部から入力される価格並びに識別コードを入力部からのラベル発行指令の入力に基づき印字部に指定された発行枚数のラベルに印字して発行させる制御部とを有することを特徴とする。
【００１１】
個人認証用無線通信機能を有するチップを搭載した無線通信器は、ＦｅｌｉＣａ（登録商標）チップを搭載した携帯電話機またはＳｕｉｃａ（登録商標）であることを特徴とする。
【００１２】
表示部は、入力部から入力された商品価格およびラベル発行枚数をも表示するものであることが好ましい。
【００１３】
表示部は、モード指定部においてモードが指定されたときに、その指定されたモードをも表示するものであることが好ましい。
【発明の効果】
【００１４】
本発明によれば、生産者は個人認証用無線通信機能を有するチップを搭載した無線通信器をリーダー部に接近するだけで、自己の識別番号の入力を容易に行うことができ、かつ、誤入力を防ぐことができる。
【００１５】
また、本発明によれば、普及しているＦｅｌｉＣａチップを搭載した携帯電話機またはＳｕｉｃａを用いることができ、独自の個人識別用記録媒体を保有する必要が無い。
【００１６】
また、生産者は、それぞれ自己が扱っている商品の種類を予め登録するので、当日陳列する商品を表示される商品群の中から容易に選択して、ラベルを発行させることができる。
【図面の簡単な説明】
【００１７】
【図１】本発明の一実施の形態の構成を示す概念図である。
【図２】記憶部のデータ記憶構造の一例を示す図である。
【図３】制御部の機能実現手段を示す図である。
【図４】入力部と表示部を兼ねるパネルスイッチの正面図であり、（ａ）は生産者選択画面を示す図、（ｂ）は商品選択画面、（ｃ）は出荷日、消費期限、価格等の入力画面である。
【図５】生産者登録処理を行なう場合の制御部による動作流れを示すフローチャートである。
【図６】図５の生産者ＲＦＩＤ呼び出しスレッドの詳細を示すフローチャートである。
【図７】図５の生産者ＲＦＩＤ登録スレッドの詳細を示すフローチャートである。
【図８】商品情報登録処理を行なう場合の制御部による動作流れを示すフローチャートである。
【図９】産地情報登録処理を行なう場合の制御部による動作流れを示すフローチャートである。
【図１０】ラベル発行処理の詳細を示すフローチャートである。
【発明を実施するための形態】
【００１８】
続いて、本発明の実施の形態について図面を参照しながら説明する。
【００１９】
図１に示すように、実施の形態に係る産地直売所用ラベル発行機（以下、単にラベル発行機という。）１００は、リーダー部１０１と、入力部１０２と、表示部１０３と、記憶部１０４と、印刷部１０５と、制御部１０６とを有している。
【００２０】
リーダー部１０１は、ラベル発行機１００が設置される産地直売所に新たに販売委託をする、または販売委託をしている生産者がラベル発行機１００を使用する際に、生産者が所持する個人認証用無線通信器２００との間で無線通信によりその生産者の個人認証を行なうための情報（生産者ＲＦＩＤ；Radio Frequency Identification）を読み取るものである。
【００２１】
個人認証用無線通信器２００の最も好ましい例として、広く普及しているＦｅｌｉＣａ（登録商標）チップを搭載した無線通信器、例えば、携帯電話機またはＳｕｉｃａ（登録商標）カード等がある。ＦｅｌｉＣａチップはアクティブまたはパッシブ方式で固有（唯一無二）の個人認証情報（ｉＤｍ）を発信する。つまり、本発明は、生産者が独自の通信手段を別に所持することなく、日ごろ使用としている携帯電話機またはＳｕｉｃａカード等をラベル発行のための個人認証用無線通信器（以下、単に無線通信器という。）として使用して、ラベル発行機１００に個人認証情報（ｉＤｍ）を生産者ＲＦＩＤとして読み取らせることができる利点を有する。
【００２２】
したがって、リーダー部１０１は、無線通信器２００との間でアクティブまたはパッシブ方式で通信し、その無線通信器２００が発信する個人認証情報（ｉＤｍ）を受信することができるものである。
【００２３】
入力部１０２は、生産者がラベル発行機１００を使用する際に、ラベル発行に先立ち、自分の生産者名、出荷する商品名などの事前登録をしたり、ラベル発行時にラベル発行対象の商品名の選択、出荷日、消費期限、価格等および発行枚数を入力したりするために用いられるものである。実施の形態によっては、入力部１０２には、ラベル発行機１００の運用モードを、生産者登録モードとラベル発行モードのいずれかに指定するためのモード指定部が含まれる場合がある。
【００２４】
生産者名および商品名などの事前登録は、ラベル発行機１００において行なうことに代えて、ラベル発行機１００の上位装置である販売管理装置等において行い、登録された生産者名および商品名などのデータをラベル発行機１００に伝送し、後記記憶部１０４に保存するようにしても良い。
【００２５】
表示部１０３は、生産者がラベル発行機１００を使用し易いように、操作手順に従って所定の処理モードの種類、処理内容または選択項目や入力内容を誘導や確認のために文字や図形等で表示するものである。
【００２６】
記憶部１０４は、ＲＯＭ，ＲＡＭで構成され、システムプログラムのほか、各種ワーキングデータを記憶するものである。データ記憶構造の一例を図２に基いて説明すると、ワーキングデータ記憶エリアＭＡには、無線通信器２００を使用する生産者（第１種生産者）のＲＦＩＤであるｉＤｍと生産者名と生産者コードとを一組として生産者ごとに記憶する第１種生産者データ記憶エリアＭＡ１と、無線通信器２００を使用しない生産者（第２種生産者）の生産者名と生産者コードとを一組として生産者ごとに記憶する第２種生産者データ記憶エリアＭＡ２が設けられている。
【００２７】
生産者コードは、販売管理装置において生産者ごとに固有のものが決定され、その生産者のｉＤｍまたは生産者名と関連付けて登録され、ラベル発行機１００に伝送されて、または、移送して第１種生産者データ記憶エリアＭＡ１もしくは第２種生産者データ記憶エリアＭＡ２に格納される。販売管理装置においては、各生産者名の取り扱う商品名が各生産者コードに関連付けて事前（ラベル発行前）に登録され、そのデータがラベル発行機１００に伝送されて、記憶部１０４の商品データ記憶エリアＭＡ３に格納される。
【００２８】
記憶部１０４には、また、発行されるラベルに印刷される項目、すなわち、生産者コードと、ラベル発行の都度に入力部１０２から入力される商品名、出荷日、消費期限、価格等の可変情報が一時的に、すなわち、ラベル発行が終了するまでの間、記憶するための印刷データ記憶エリアＭＡ４が設けられている。
【００２９】
印刷部１０５は、後記制御部１０６により印刷データ記憶エリアＭＡ４から読み出される印刷データを用いて指定された枚数のラベルを印刷発行するものである。印刷部１０５をラベル発行機１００内に設けることに代えて、図１に一点鎖線で示すように、ラベル発行機１００内に印刷制御情報を出力する出力部１０８を設け、その出力部１０８を外部に設けたプリンタ３００と接続しても良い。
【００３０】
制御部１０６は、ＣＰＵで構成され、バス１０７を介して上記各部１０１〜１０５に接続されて、後に詳述するように、所定のプログラムの実行によりこれらの間で信号を授受して、図３に示す機能実現手段を用いて、信号の取り込み・処理を行い、その結果としての印刷内容データを印刷部１０５に出力し制御して、生産者が指定した内容を印刷したラベルを所定枚数発行させるようになっている。
【００３１】
制御部１０６を構成する機能実現手段は、図３に示すように、生産者呼び出し手段１０６ａ、生産者登録手段１０６ｂ、商品情報登録手段１０６ｃ、印字項目入力手段１０６ｄ、印刷内容編集手段１０６ｅおよび印刷制御手段１０６ｆを含む。各手段の詳細は後述される。
【００３２】
続いて、上記構成による作用を説明する。
生産者がラベル発行機１００を使用するには、まず、生産者登録を行なう必要がある。生産者登録を済ませた後はラベル発行を行うことができる。生産者登録とラベル発行のいずれの場合も、第１種生産者は無線通信器２００をリーダー部１０１に接近させる(かざす)。第２種生産者は、生産者登録の際は、ラベル発行機１００を収容しているラベル発行室等に備置されている生産者コード台帳に記載されている生産者コード、例えばバーコード、または自己の値札ラベルに記載されているＪＡＮ（Japanese Article Number）コードをスキャナーで読み取る。生産者登録のための処理手順と、ラベル発行のための処理手順の内容は種々あり得る。図５〜９は、その単なる一例を示すに過ぎない。以下に、その一例について説明する。
【００３３】
図５に示すように、ラベル発行機１００が稼働を開始すると、生産者ＲＦＩＤ呼び出しスレッドを起動し（ステップ１。以下、ステップを記号Ｓで表す。）、生産者ＲＦＩＤ呼び出しスレッドを実行する（Ｓ２）。生産者ＲＦＩＤ呼び出しスレッドにおいては、図６に示すように、リーダー部１０１のＦｅｌｉＣａポートが開けられ（Ｓ２ａ）、ＦｅｌｉＣａ信号の受信を待つ（Ｓ２ｂ）。すなわち、生産者の所持する無線通信器２００がリーダー部１０１にかざされるのを待つ。
【００３４】
ＦｅｌｉＣａ信号を受信しないとき（Ｓ２ｃにおいてＮのとき）はＳ２ｂに戻る。ＦｅｌｉＣａ信号を受信したとき（Ｓ２ｃにおいてＹのとき）は、そのＦｅｌｉＣａ信号の中の個人認証情報（ｉＤｍ）を読み取り、一時記憶する（Ｓ２ｄ）とともに、その個人認証情報（ｉＤｍ）で記憶部１０４に記憶されている第１種生産者データ記憶エリアＭＡ１を読み出して（Ｓ２ｅ）、同じ個人認証情報（ｉＤｍ）が既に登録されているか否かを判断する（Ｓ２ｆ）。登録されている場合（Ｓ２ｆにおいてＹのとき）は、同じ個人認証情報（ｉＤｍ）が登録されている第１種生産者データ記憶エリアＭＡ１より生産者の生産者コード（識別コード）を取得する（Ｓ２ｇ）。この生産者コードの取得の後はＦｅｌｉＣａポートが閉じられ（Ｓ２ｈ）、図５のＳ６に移行する。
【００３５】
Ｓ２ｆにおいてＮのとき、すなわち、第１種生産者データ記憶エリアＭＡ１に個人認証情報（ｉＤｍ）が登録されていない場合は、Ｓ２ｂに戻る。
【００３６】
Ｓ２において生産者ＲＦＩＤ呼び出しスレッドを実行している間に、Ｓ３，Ｓ４，Ｓ５が平行して実行される。すなわち、表示部１０３に図４（ａ）に例示されているような生産者選択画面Ｐ１に生産者名を一覧表示し（Ｓ３）、生産者選択ガイダンスを再生する（Ｓ４）とともに、生産者一覧から生産者名が選択されるのを待つ（Ｓ５）。
【００３７】
生産者選択画面Ｐ１は、図４（ａ）に示すように、液晶表示パネルで構成され、その表面に生産者名、例えば仮名で表すと、生産者１、生産者１０、・・・生産者１０５等を所定の位置に表示して、生産者名を一覧表示するとともに、各表示位置に透明のタッチスイッチｔｓ１が設けられて、表示部１０３と入力部１０２が重ね合わせで構成されている。生産者選択画面Ｐ１の下側に、「先頭」「前へ」「次へ」「最後」など表示順位を指定するタッチスイッチｔｓ２が設けられているので、そのタッチスイッチｔｓ２をタッチして生産者名が表示される頁を変え、一つの生産者名の表示位置をタッチすることにより生産者を選択することができる。
【００３８】
無線通信器２００をリーダー部１０１にかざした生産者が自分の生産者名をタッチして生産者選択を行うと（Ｓ５においてＹ）、Ｓ２ｇにおいて取得された生産者コードをその選択された生産者の生産者コード（識別コード）として第１種生産者データ記憶エリアＭＡ１に保持する（Ｓ６）。
【００３９】
無線通信器２００を使用しない生産者(第２種生産者)の場合は、第１種生産者データ記憶エリアＭＡ１に個人認証情報（ｉＤｍ）が登録されていないので、上記のように、Ｓ２ｆからＳ２ｂに戻り、Ｓ２ｂからＳ２ｃ，２ｄ，２ｅ，２ｆへ、また、Ｓ２ｆからＳ２ｂに戻る処理が継続されるが、その生産者が生産者選択画面Ｐ１に表示されている自分の生産者名をタッチして生産者選択を行なった時（Ｓ５においてＹの時）は、第２種生産者データ記憶エリアＭＡ２を読み出してその生産者名に対応して記憶されている生産者コードを取得し、保持する（Ｓ６）。
【００４０】
図５に示す生産者呼び出し処理において、Ｓ５において生産者一覧に自分の生産者名が表示されていない場合は、生産者選択ができない。この場合は、ラベル発行機１００に接続されているスキャナー１０２ａが生産者コード(バーコード)をスキャンしたか否かを調べる（Ｓ１０）。スキャナー１０２ａで読み取ったデータは、入力部１０２を経て、または直接に制御部１０６に与えられる。制御部１０６は、入力されたバーコードデータを用いて記憶部１０４の第２種生産者データ記憶エリアＭＡ２を検索し（Ｓ１１）、一致するデータ（生産者コード）があるか否かを調べる（Ｓ１２）。一致するデータがある場合は、Ｓ６においてその生産者コードと生産者名を保持する。一致するデータが無い場合は、Ｓ４に戻る。
【００４１】
Ｓ１０においてスキャナー１０２ａが生産者コードをスキャンしない場合は、スキャナー１０２ａが生産者の所持する商品の値札ラベルに印字されているＪＡＮコードをスキャンしたか否かを調べる（Ｓ１３）。スキャナー１０２ａで読み取ったＪＡＮコードは入力部１０２を経て、または直接に制御部１０６に与えられる。制御部１０６は、入力されたＪＡＮデータを用いて記憶部の第２種生産者データ記憶エリアＭＡ２を検索し（Ｓ１４）、一致するデータ（生産者コード）があるか否かを調べる（Ｓ１５）。一致するデータがある場合は、Ｓ６においてその生産者コードと生産者名を保持する。一致するデータが無い場合は、Ｓ４に戻る。
【００４２】
無線通信器２００を使用する第２種生産者、無線通信器を使用しない第２種生産者のいずれの場合も、生産者コードと生産者名を保持すると、生産者ＲＦＩＤ呼び出しスレッドを停止する（Ｓ７）。
【００４３】
Ｓ１〜Ｓ７、Ｓ１０〜Ｓ１５が生産者呼び出し手段１０６ａに相当する。
【００４４】
生産者ＲＦＩＤ呼び出しスレッドの停止（Ｓ７）に続き、生産者ＲＦＩＤ登録スレッドを起動し（Ｓ８）、生産者ＲＦＩＤ登録スレッドを実行する（Ｓ９）。生産者ＲＦＩＤ登録スレッドにおいては、図７に示すように、リーダー部１０１のＦｅｌｉＣａポートが開けられ（Ｓ９ａ）、ＦｅｌｉＣａ信号の受信を待つ（Ｓ９ｂ）。すなわち、生産者の無線通信器２００がリーダー部１０１にかざされるのを待つ。
【００４５】
ＦｅｌｉＣａ信号を受信したとき（Ｓ９ｃにおいてＹのとき）は、そのＦｅｌｉＣａ信号の中の個人認証情報（ｉＤｍ）を読み取り、一時記憶する（Ｓ９ｄ）。次に、記憶部１０４の第１種生産者データ記憶エリアＭＡ１より今読み取った個人認証情報（ｉＤｍ）と関連付けて登録されていた生産者コードを削除し（Ｓ９ｅ）、その代わりに、今読み取った個人認証情報（ｉＤｍ）とＳ６において保持した生産者コードを関連付けて登録する（Ｓ９ｇ）。
【００４６】
Ｓ９ｅにおいて、読み取った個人認証情報（ｉＤｍ）と関連付けて登録されていた生産者コードを削除する理由は、一つのｉＤｍについて２つ以上の生産者コードを重複して登録することを避けるためである。重複登録を防止するには、登録されていた古い生産者コードを削除するのではなく、新しい生産者コードの登録を拒否するようにしても良い。
【００４７】
この新しい識別コードの登録を終了すると、ＦｅｌｉＣａポートを閉じ（Ｓ９ｇ）、次いで登録完了のガイダンスを再生（Ｓ９ｈ）した後、生産者ＲＦＩＤ登録スレッドを終了する（Ｓ９ｉ）。
【００４８】
Ｓ８〜Ｓ９（Ｓ９a〜Ｓ９i）が生産者登録手段１０６ｂに相当する。
【００４９】
生産者ＲＦＩＤ登録スレッド（Ｓ９）を終了した後は、図８に示される商品情報入力処理に移行する。商品情報入力処理においては、表示部１０３に図４（ｂ）に例示するような商品選択画面Ｐ２を表示する。そして、商品一覧をクリアし(Ｓ２１)、続いて、選択された生産者のラベル発行履歴（ラベル印刷が終了した時点にラベル発行機のデータベースに保存される。）より、すなわち、生産者について商品マスターテーブル（第３記憶エリアＭＡ３）に登録されている商品名を読み出し、新しい商品一覧を表示する(Ｓ２２)。各商品の表示位置には、タッチスイッチｔｓ１が設けてある。商品の種類数が１頁に表示できる数よりも多い場合は、生産者表示の場合と同様に、表示順位を変更するスイッチｔｓ２を押すことにより、他の商品名を表示することができる。
【００５０】
選択された生産者のラベル発行履歴にデータの無い商品については、入力部１０２より入力して商品一覧に追加することができる（Ｓ２３)。商品一覧にはラベル発行履歴にデータのある商品が優先的に表示され、続いて、ラベル発行履歴にデータの無い商品が表示される。そして、新しい商品一覧を表示した後、図４（ｂ）に例示するように、商品選択待ち状態となるとともに、商品選択ガスダンスを再生する（Ｓ２４)。
【００５１】
ラベル発行対象である商品の選択方法には、図８に示すように、商品選択画面Ｐ２の商品一覧の中から商品名が記載されている部分のタッチスイッチを押すことにより選択する方法（Ｓ２５)と、商品台帳などに記録されている当該商品に対応するバーコードをスキャナーで読み取る方法（Ｓ２６)と、当該商品の値札ラベルに印字されたＪＡＮコードをスキャナーで読み取る方法（Ｓ２１０）とがある。
【００５２】
商品選択画面Ｐ２の商品一覧から商品を選択した場合（Ｓ２５においてＹ)は、第３記憶エリアＭＡ３から当該生産者に関連して記憶されているその選択された商品の情報、例えば、コード、商品名、産地名、価格、消費期限、ラベルフォーマットなどを読み出し、ラベル印刷のためのメモリである第４記憶エリアＭＡ４に一時保持する（Ｓ２９）。
【００５３】
商品一覧からの商品選択がされずに、当該商品に対応するバーコードをスキャナーで読み取った場合（Ｓ２６においてＹ)は、そのバーコードデータを用いて商品マスターテーブル（第３記憶エリアＭＡ３）を検索し（Ｓ２７)、一致するデータがあるか否かを調べ（Ｓ２８)、一致するデータがあった場合は、商品一覧から商品を選択した場合と同様に、第３記憶エリアＭＡ３から当該生産者に関連して記憶されているその選択された商品の情報を読み出し、第４記憶エリアＭＡ４に一時保持する（Ｓ２９）。
【００５４】
Ｓ２６においてはバーコードの読み取りが無い場合（Ｓ２６においてＮ）、またはＳ２８において一致するデータがない場合（Ｓ２８においてＮ)は、商品の値札ラベルに印字されたＪＡＮコードを読み取ったか否かを調べ（Ｓ２１０）、読み取った場合は、そのＪＡＮコードと生産者コードで商品マスターテーブル（第３記憶エリアＭＡ３）を検索し（Ｓ２１１)、一致するデータがあるか否かを調べ（Ｓ２１２)、一致するデータがあった場合は、第３記憶エリアＭＡ３から当該生産者に関連して記憶されているその選択された商品の情報を読み出し、第４記憶エリアＭＡ４に一時保持する（Ｓ２１３）。
【００５５】
上記のように、図４（ｂ）の商品選択画面Ｐ２の商品一覧からの商品選択、商品コードの読取りまたは値札ラベルの読取りによる商品選択に基いて選択した商品の情報をメモリに保持した後は、図９のＳ３１に進み、商品選択画面Ｐ２の商品一覧をクリアした後、産地選択機能がＯＮか否かを調べ（Ｓ３２）、ＯＮである場合は、各商品について予め登録してある産地一覧を表示し（Ｓ３３）、産地選択ガイダンスを再生するとともに産地選択を待機する（Ｓ３４）。そして、産地一覧から産地が選択された場合（Ｓ３５においてＹ）は、選択した産地の情報、すなわち、産地コードと商品名をメモリ（第４記憶エリアＭＡ４）に一時保持する（Ｓ３６）。
【００５６】
Ｓ３５において、産地一覧から産地が選択されずに、台帳などに記録してある産地コード（バーコード)をスキャンした場合（Ｓ３7においてＹ）は、そのバーコードを用いて産地マスターテーブルを検索し（Ｓ３８）、一致するデータがあるか否かを調べ（Ｓ３９）、ある場合は選択した産地の情報をメモリ（第４記憶エリアＭＡ４）に一時保持する（Ｓ３６）。
【００５７】
Ｓ２１〜Ｓ２１３、Ｓ３１〜Ｓ３９が商品情報登録手段１０６ｃに相当する。
【００５８】
上記のようにして商品情報登録処理を終了した後は、図１０に示すように、その商品情報に係る商品に貼付されるラベルに印字される項目を手動入力するための項目入力処理が実行される。図１０の項目入力処理が開始されると、図４(ｃ)に示すような選択した商品に貼付するためのラベルに印字する項目を入力するための入力画面Ｐ３が表示される。設定により「価格」と「発行枚数」のどちらかが自動的に選択（初期入力）可能になっている。図１０の例では、初期入力項目が「価格」に設定されているか否かを調べ（Ｓ４１）、設定されている場合は表示画面の「価格」の表示部分の地色が変化し（Ｓ４２）、設定されていない場合は表示画面の［発行枚数」の表示部分の地色が変化（Ｓ４３）した後、所定の入力項目の入力を待機する(Ｓ４４)。
【００５９】
入力項目としては、出荷日、消費期限、内容量、価格、ラベル発行枚数がある。入力画面Ｐ３の出荷日欄、消費期限欄、内容量欄、価格欄、ラベル発行枚数欄をそれぞれ順次タッチする（Ｓ４５〜Ｓ４９）と、出荷日入力ガイダンス、消費期限入力ガイダンス、内容量入力ガイダンス、価格入力ガイダンス、ラベル発行枚数入力ガイダンスが再生される（Ｓ４５ａ〜Ｓ４９ａ）。その入力ガイダンスの再生に従ってそれぞれの項目をテンキー操作により数値入力するたびに、確定ボタンｔｓ５をタッチする（Ｓ４１０）と、入力項目のうちの最後の発行枚数がタッチされたとき以外（Ｓ４１１においてＮ）は、その入力項目がメモリ（第４記憶エリアＭＡ４）に一時保持される（Ｓ４１２）。
【００６０】
Ｓ４１〜Ｓ４１２が印字項目入力手段１０６ｄに相当する。
【００６１】
そして、最後に発行枚数欄をタッチし（Ｓ４９）、発行枚数を入力した後に確定ボタンｔｓ５をタッチした（Ｓ４１０）ときは、Ｓ４１１においてＹとなるので、印刷内容編集手段１０６ｅが上記入力項目を商品マスターテーブル（第３記憶エリアＭＡ３）から取得したラベルフォーマットに沿って編集し、その編集結果のデータに基いて印刷制御手段１０６ｆが印刷部１０５を制御することにより、所定枚数のラベルを発行する（Ｓ４１３）。そのラベル発行を終了すると、選択された生産者・商品・産地・付加情報（すなわち、出荷日、消費期限、内容量、価格、ラベル発行枚数）を記憶部１０４の発行履歴記録部に記録する。その後、表示部１０３に商品選択画面Ｐ２を表示して、他の商品が選択されるか否かを待つ（Ｓ４１５）。他の商品が選択されない場合は、Ｓ１に戻る。他の商品が選択された場合は、Ｓ２１に移行して、商品情報登録処理以降の処理が再び実行される。
【００６２】
図２の記憶部におけるデータ記憶構造、図３の機能実現手段を構成するフローチャートのステップおよび図４の表示画面の配置、表示内容は一例に過ぎない。
【００６３】
ラベル発行機１００に生産者登録モードとラベル発行モードのいずれかを指定するモード指定部（図示省略）を設けた場合は、生産者登録モードが指定されたときは、制御部１０６は、リーダー部１０１が読み取った個人認証用情報が記憶部１０４に記憶されているものと一致するか否かを判断し、一致しない場合はリーダー部１０１が読み取った個人認証用情報を記憶部１０４に登録するとともに、入力部１０２から入力される識別コード、生産者名および商品名を登録した個人認証用情報に関連付けて記憶部１０４に登録する。また、ラベル発行モードを指定されたときは、制御部１０６は、リーダー部１０１が読み取った個人認証用情報が記憶部１０４に記憶されているものと一致するか否かを判断し、一致した場合または生産者登録モードからラベル発行モードに変更された場合は、読み取った個人認証用情報に関連付けて記憶部１０４に記憶されている識別コード、生産者名および商品名のうち、生産者名および商品名を表示部１０３に表示させるとともに、表示された商品名のうち入力部１０２により選択された商品名および入力部１０２から入力される価格並びに識別コードを入力部１０２からのラベル発行指令の入力（確定ボタンｔｓ５のタッチ）に基づき印刷部１０５に指定された発行枚数のラベルに印字して発行させる。
【符号の説明】
【００６４】
１００    ラベル発行機
１０１      リーダー部
１０２      入力部
１０３      表示部
１０４      記憶部
１０５      印刷部
１０６      制御部
２００    個人認証用無線通信器
【図１】
2013210914.tif 000003
【図２】
2013210914.tif 000004
【図３】
2013210914.tif 000005
【図４】
2013210914.tif 000006
【図５】
2013210914.tif 000007
【図６】
2013210914.tif 000008
【図７】
2013210914.tif 000009
【図８】
2013210914.tif 000010
【図９】
2013210914.tif 000011
【図１０】
2013210914.tif 000012